(57)【特許請求の範囲】
【請求項１】
扉枠（２）に蝶番（５）を介して水平方向に回動可能に連結された扉（３）を強制的に
閉める閉扉装置（１）であって、
前記扉枠（２）に取り付けられた装置本体（６）と、
前記扉（３）に固定された被ガイド部材（７）と、を有し、
前記装置本体（６）は、
前記扉枠（２）の開口部の上縁部に固定された固定要素（４０）と、
前記固定要素（４０）に水平方向に回動可能に支持され且つ前記扉（３）の回動に伴って前記被ガイド部材（７）と係合したり離脱したりするように構成された閉扉アーム（２０）と、
前記被ガイド部材（７）が前記閉扉アーム（２０）と係合していない時には前記閉扉アーム（２０）を前記被ガイド部材（７）との係合を待つ待機姿勢に保持するべく、前記被ガイド部材（７）が前記閉扉アーム（２０）と係合した後には前記閉扉アーム（２０）を前記扉（３）を閉じる向きに強制的に回動させるべく、前記閉扉アーム（２０）に弾性力を作用させる付勢機構（５０）と、
前記閉扉アーム（２０）が前記扉（３）を閉じる向きに回動している時にはその回動を抑制するべく、それとは逆向きに前記閉扉アーム（２０）が回動している時にはその回動を促進するべく、前記閉扉アーム（２０）に力を作用させる直動式の緩衝機構（６０）と、を有し、
前記固定要素（４０）は、
前記扉枠に固定された偏平な直方体形状の筐体（７０）を有し、
前記筐体（７０）内に前記閉扉アーム（２０）と前記付勢機構（５０）と前記緩衝機構（６０）が共に収容され、
前記筐体（７０）の前記扉（３）と対面する部分に、前記閉扉アーム（２０）が出入りする開口部（７５）が形成され、
前記筐体（７０）の底部に、前記扉（３）を閉止したときに前記被ガイド部材（７）を受け入れる切欠部（７６）が形成され、
前記閉扉アーム（２０）は、
前記付勢機構（５０）による弾性力と前記緩衝機構（６０）による緩衝力が互いに逆向きに作用するカム部（１４）を一体的に有し、
前記付勢機構（５０）は、前記カム部（１４）の第１カム面（１４Ａ）に弾性力を作用させるスプリング（５２）を有し、
前記緩衝機構（６０）は、前記閉扉アーム（２０）が前記扉（３）を閉じる向きに回動している時に、前記カム部（１４）の第２カム面（１４Ｂ）の回動に伴って水平方向に圧縮され反発することにより制動力を発生する直動式のダンパ（６２）を有し、
前記付勢機構（５０）と前記緩衝機構（６０）とが前記カム部（１４）を挟んで互いに直列に並べて設けられていることを特徴とする閉扉装置。
【請求項２】
前記扉枠（２）の上枠部材（２Ａ）には、前記扉（３）を閉めた時に前記扉（３）の上縁部が当たる戸当り（４Ｂ）が設けられており、
前記筐体（７０）は、前記上枠部材（２）の前記戸当り（４Ｂ）の一部を欠くことにより形成されたスペース（Ｓ）に取り付けられる、請求項１の閉扉装置。
【請求項３】
前記閉扉アーム（２０）は、前記扉（３）が閉止されている時には、その全体が前記筐体（７０）の中にあり、前記待機姿勢の時には、その先端側が前記筐体（７０）の開口部から前記扉（３）側に出ている、請求項１又は２の閉扉装置。
【請求項４】
前記被ガイド部材（７）は、前記扉（３）の板面に固定して取り付けられた支持部（３０）と当該支持部（３０）の先端部から上方に突き出ている摺動子（３１）とを有し、
前記閉扉アーム（２０）は、その回動半径方向に延びるガイド溝（２２）を有し、
前記閉扉アーム（２０）が前記待機姿勢の時に、前記扉（３）の閉じられる向きへの回動に伴って前記摺動子（３１）の先端部が前記ガイド溝（２２）内に受け入れられるように構成した、請求項３の閉扉装置。
【請求項５】
扉枠（２）と、当該扉枠（２）に蝶番（５）を介して水平方向に回動可能に連結された扉（３）と、当該扉（３）を強制的に閉める閉扉装置（１）と、を有する扉装置（１０）であって、
前記閉扉装置（１）は、
前記扉枠（２）に取り付けられた装置本体（６）と、
前記扉（３）に固定された被ガイド部材（７）と、を有し、
前記装置本体（６）は、
前記扉枠（２）の開口部の上縁部に固定された固定要素（４０）と、
前記固定要素（４０）に水平方向に回動可能に支持され且つ前記扉（３）の回動に伴って前記被ガイド部材（７）と係合したり離脱したりするように構成された閉扉アーム（２０）と、
前記被ガイド部材（７）が前記閉扉アーム（２０）と係合していない時には前記閉扉アーム（２０）を前記被ガイド部材（７）との係合を待つ待機姿勢に保持するべく、前記被ガイド部材（７）が前記閉扉アーム（２０）と係合した後には前記閉扉アーム（２０）を前記扉（３）を閉じる向きに強制的に回動させるべく、前記閉扉アーム（２０）に弾性力を作用させる付勢機構（５０）と、
前記閉扉アーム（２０）が前記扉（３）を閉じる向きに回動している時にはその回動を抑制するべく、それとは逆向きに前記閉扉アーム（２０）が回動している時にはその回動を促進するべく、前記閉扉アーム（２０）に力を作用させる直動式の緩衝機構（６０）と、を有し、
前記固定要素（４０）は、
前記扉枠に固定された偏平な直方体形状の筐体（７０）を有し、
前記筐体（７０）内に前記閉扉アーム（２０）と前記付勢機構（５０）と前記緩衝機構（６０）が共に収容され、
前記筐体（７０）の前記扉（３）と対面する部分に、前記閉扉アーム（２０）が出入りする開口部（７５）が形成され、
前記筐体（７０）の底部に、前記扉（３）を閉止したときに前記被ガイド部材（７）を受け入れる切欠部（７６）が形成され、
前記閉扉アーム（２０）は、
前記付勢機構（５０）による弾性力と前記緩衝機構（６０）による緩衝力が互いに逆向きに作用するカム部（１４）を有し、
前記付勢機構（５０）は、前記カム部（１４）の第１カム面（１４Ａ）に弾性力を作用させるスプリング（５２）を有し、
前記緩衝機構（６０）は、前記閉扉アーム（２０）が前記扉（３）を閉じる向きに回動している時に、前記カム部（１４）の第２カム面（１４Ｂ）の回動に伴って水平方向に圧縮され反発することにより制動力を発生する直動式のダンパ（６２）を有し、
前記付勢機構（５０）と前記緩衝機構（６０）とが前記カム部（１４）を挟んで互いに直列に並べて設けられていることを特徴とする扉装置。
【請求項６】
前記固定要素（４０）が、前記扉枠（２）の上枠部材（２Ａ）の前記蝶番（５）が取り付けられている側とは反対側の端部に固定して取り付けられている、請求項５の扉装置。
【請求項７】
前記扉枠（２）の上枠部材（２Ａ）には、前記扉（３）を閉めた時に前記扉（３）の上縁部が当たる戸当り（４Ｂ）が設けられており、
前記筐体（７０）は、前記上枠部材（２）の前記戸当り（４Ｂ）の一部を欠くことにより形成されたスペース（Ｓ）に取り付けられている、請求項５又は６の扉装置。
【請求項８】
前記閉扉アーム（２０）は、前記扉（３）が閉止されている時には、その全体が前記筐体（７０）の中にあり、前記待機姿勢の時には、その先端側が前記筐体（７０）の開口部から前記扉（３）側に出ている、請求項５乃至７のいずれかの扉装置。
【請求項９】
前記被ガイド部材（７）は、前記扉（３）の板面に固定して取り付けられた支持部（３０）と当該支持部（３０）の先端部から上方に突き出ている摺動子（３１）とを有し、
前記閉扉アーム（２０）は、その回動半径方向に延びるガイド溝（２２）を有し、
前記閉扉アーム（２０）が前記待機姿勢の時に、前記扉（３）の閉じられる向きへの回動に伴って前記摺動子（３１）の先端部が前記ガイド溝（２２）内に受け入れられるように構成した、請求項８の扉装置。
【発明の詳細な説明】
【技術分野】
【０００１】
本発明は、玄関や部屋の出入口を開閉する扉を強制的に且つ静かに閉めるための閉扉装置に関するものである。
【背景技術】
【０００２】
従来の閉扉装置として、図１０に示すように、扉Ａに取り付けられた装置本体１０１と扉枠Ｂに取り付けられた被ガイド部材１０２とを有するものがある。この従来の閉扉装置１００は、扉Ａが閉まる際に装置本体１０１のアーム１０４で被ガイド部材１０２のピン（摺動体）１０２ａを捕捉し、そのアーム１０４を扉Ａ側に回動させて装置本体１０１とピン１０２ａとを互いに引き寄せることにより、扉Ａを閉扉状態に導く。装置本体１０１内には、アーム１０４の回動軸に常に抵抗力を作用させてアーム１０４の急激な回動を防止する回動式（ロータリ式）の緩衝機構が設けられており、その働きによって扉Ａが静かに閉まる（特許文献１）。
【先行技術文献】
【特許文献】
【０００３】
【特許文献１】特開２００７−１２０１４０号公報
【発明の概要】
【発明が解決しようとする課題】
【０００４】
上述した従来の閉扉装置１００においては、アーム１０４や回動式の緩衝機構を備えた装置本体１０１が扉Ａに取り付けられる。このため、扉Ａを支持している蝶番１０３に扉Ａの荷重に加えて装置本体１０１の荷重が常に余計に掛かることになる。その結果、蝶番１０３の経時的劣化を早めてしまう。また、アーム１０４の回動軸に緩衝機構による抵抗力が常に作用している構造上、扉Ａを開く際にも抵抗力が働く。このため、扉Ａを開く際に強い力を要する。
【０００５】
蝶番１０３に掛かる加重を軽減するためには、被ガイド部材１０２を扉Ａに取り付け、装置本体１０１を扉枠Ｂに取り付けることが望ましい。しかし、回動式の緩衝機構は一般に寸法が大きく、これを備えた装置本体１０１は必然的に大型化する。このため、装置本体１０１を取り付けスペースが狭く限られた扉枠Ｂに取り付けることは困難である。
【０００６】
本発明が解決しようとする課題は、閉め際における扉の急峻な回動を抑制して扉を静かに閉めることができ且つ開扉する際には扉を弱い力で開けることができる閉扉装置をその装置本体を大型化することなく実現し、装置本体の扉枠への取り付けを可能とすること、そして、このような閉扉装置を備えた扉装置を提供することにある。
【課題を解決するための手段】
【０００７】
［閉扉装置］
上記課題を解決するために、
本発明の閉扉装置は、扉枠（２）に蝶番（５）を介して水平方向に回動可能に連結された扉（３）を強制的に閉める閉扉装置（１）であって、
前記扉枠（２）に取り付けられた装置本体（６）と、
前記扉（３）に固定された被ガイド部材（７）と、を有し、
前記装置本体（６）は、
前記扉枠（２）の開口部の上縁部に固定された固定要素（４０）と、
前記固定要素（４０）に水平方向に回動可能に支持され且つ前記扉（３）の回動に伴って前記被ガイド部材（７）と係合したり離脱したりするように構成された閉扉アーム（２０）と、
前記被ガイド部材（７）が前記閉扉アーム（２０）と係合していない時には前記閉扉アーム（２０）を前記被ガイド部材（７）との係合を待つ待機姿勢に保持するべく、前記被ガイド部材（７）が前記閉扉アーム（２０）と係合した後には前記閉扉アーム（２０）を前記扉（３）を閉じる向きに強制的に回動させるべく、前記閉扉アーム（２０）に弾性力を作用させる付勢機構（５０）と、
前記閉扉アーム（２０）が前記扉（３）を閉じる向きに回動している時にはその回動を抑制するべく、それとは逆向きに前記閉扉アーム（２０）が回動している時にはその回動を促進するべく、前記閉扉アーム（２０）に力を作用させる直動式の緩衝機構（６０）と、を有し、
前記固定要素（４０）は、
前記扉枠に固定される偏平な直方体形状の筐体（７０）を有し、
前記筐体（７０）内に前記閉扉アーム（２０）と前記付勢機構（５０）と前記緩衝機構（６０）が共に収容され、
前記筐体（７０）の前記扉（３）と対面する部分に、前記閉扉アーム（２０）が出入りする開口部（７５）が形成され、
前記筐体（７０）の底部に、前記扉（３）を閉止したときに前記被ガイド部材（７）を受け入れる切欠部（７６）が形成されていることを特徴とするものである。
【０００８】
上記のように構成したことにより、被ガイド部材が閉扉アームと係合していない時、すなわち、扉が閉扉アームと被ガイド部材とが係合し得る開度よりも大きく開いている時、閉扉アームは付勢機構の弾性力によって待機姿勢に保持されている。扉を閉扉する際、扉と共に被ガイド部材が装置本体に接近し、扉の開度が所定の開度になった時点で、被ガイド部材が閉扉アームと係合する。その後更に扉を閉めて行くと、閉扉アームが待機姿勢から扉を閉じる向きに回動し始める。それと同時に、付勢機構の弾性力が、閉扉アームを扉を閉じる向きに強制的に回動させる力として働き始める。この閉扉アームの強制的な回動に伴って、扉が強制的に閉じられていく。この時、閉扉アームの回動を抑制するように緩衝機構の抗力が効き始めることにより、扉の急峻な動きが防止される。これにより、扉が強制的に且つ静かに閉められる。一方、扉が完全に閉まっている状態から扉を開ける場合、扉の開扉動作に伴って閉扉アームが待機姿勢となる向きに回動し始める。それと同時に、緩衝機構の反発力が、閉扉アームを扉を開く向きに回動させる力として働き始め、扉を開く向きへの閉扉アームの回動が促進される。その結果、扉を手動で開く際に、扉の取手に大きな力を加えずに済むようになる。緩衝機構として直動式のものを使用しているため、閉扉する際には扉を静かに閉じることができ且つ開扉する際には扉を弱い力で開けることができる閉扉装置を装置本体を大型化することなく実現できる。
【０００９】
また、扉枠に固定される偏平な直方体形状の筐体内に前記閉扉アームと前記付勢機構と前記緩衝機構を共に収容し、当該筐体の扉と対面する部分に、閉扉アームが出入りする開口部を設けたことにより、扉枠に固定される固定要素を小型化し、外観的には可動部を閉扉アームのみとした単純な外観形態の閉扉装置を実現できる。
【００１０】
本発明の閉扉装置（１）において、
前記閉扉アーム（２０）は、
前記付勢機構（５０）による弾性力と前記緩衝機構（６０）による緩衝力が互いに逆向きに作用するカム部（１４）を一体的に有し、
前記付勢機構（５０）は、前記カム部（１４）の第１カム面（１４Ａ）に弾性力を作用させるスプリング（５２）を有し、
前記緩衝機構（６０）は、前記閉扉アーム（２０）が前記扉（３）を閉じる向きに回動している時に、前記カム部（１４）の第２カム面（１４Ｂ）の回動に伴って水平方向に圧縮され反発することにより制動力を発生する直動式のダンパ（６２）を有し、
前記付勢機構（５０）と前記緩衝機構（６０）とが前記カム部（１４）を挟んで互いに直列に並べて設けられている、ことが望ましい。
【００１１】
上記の構成によれば、付勢機構による弾性力と緩衝機構による緩衝力を閉扉アームに作用させるためのカム部を、閉扉アームと一体化したことにより、部品点数を削減できる。筐体内に収容される部品の点数が少なくなることにより、筐体を小型化できる。また、付勢機構と、緩衝機構とを、カム部を挟んで互いに直列に並べて設けたことにより、筐体の短寸方向の幅寸法を小さくできるので、取り付けスペースが狭く限られた扉枠に装置本体を取り付ける上で極めて有利である。
【００１２】
また、前記扉枠（２）の上枠部材（２Ａ）には、前記扉（３）を閉めた時に前記扉（３）の上縁部が当たる戸当り（４Ｂ）が設けられており、
前記筐体（７０）は、前記上枠部材（２）の前記戸当り（４Ｂ）の一部を欠くことにより形成されたスペース（Ｓ）に取り付けられることが望ましい。
【００１３】
この構成によれば、戸当りの設置スペースを利用して、上枠部材の下面部に筐体を取り付けることができる。また、上枠部材の戸当りが嵌め付けられる溝に筐体の上面部が丁度嵌るように筐体の構造を設計しておくことにより、上枠部材に対する筐体の取り付け精度を向上できる。
【００１４】
また、前記閉扉アーム（２０）は、前記扉（３）が閉止されている時には、その全体が前記筐体（７０）の中にあり、前記待機姿勢の時には、その先端側が前記筐体（７０）の開口部（７５）から前記扉（３）側に出ていることが望ましい。この構成によれば、扉が閉じられる際、筐体の開口部からその先端側が扉側に出ている状態で待機している閉扉アームに、被ガイド部材が扉の回動に伴って係合する。その後更に扉を閉めて行くと、閉扉アームが扉を閉じる向きに回動し、扉が閉まった時には閉扉アームが筐体の中に完全に格納された状態になる。
【００１５】
また、前記被ガイド部材（７）は、前記扉（３）の板面に固定して取り付けられた支持部（３０）と当該支持部（３０）の先端部から上方に突き出ている摺動子（３１）とを有し、
前記閉扉アーム（２０）は、その回動半径方向に延びるガイド溝（２２）を有し、
前記閉扉アーム（２０）が前記待機姿勢の時に、前記扉（３）の閉じられる向きへの回動に伴って前記摺動子（３１）の先端部が前記ガイド溝（２２）内に受け入れられるように構成されていることが望ましい。
【００１６】
また、前記装置本体（１）は、前記付勢機構（５０）の弾性力を調整するための調整手段（１７）を有していることが望ましい。これにより、扉の閉扉時の回動速度や開扉時の付勢機構による抗力を調節することができる。
［扉装置］
上記課題を解決するために、本発明の扉装置は、
扉枠（２）と、当該扉枠（２）に蝶番（５）を介して水平方向に回動可能に連結された扉（３）と、当該扉（３）を強制的に閉める閉扉装置（１）と、を有する扉装置（１０）であって、
前記閉扉装置（１）は、
前記扉枠（２）に取り付けられた装置本体（６）と、
前記扉（３）に固定された被ガイド部材（７）と、を有し、
前記装置本体（６）は、
前記扉枠（２）の開口部の上縁部に固定された固定要素（４０）と、
前記固定要素（４０）に水平方向に回動可能に支持され且つ前記扉（３）の回動に伴って前記被ガイド部材（７）と係合したり離脱したりするように構成された閉扉アーム（２０）と、
前記被ガイド部材（７）が前記閉扉アーム（２０）と係合していない時には前記閉扉アーム（２０）を前記被ガイド部材（７）との係合を待つ待機姿勢に保持するべく、前記被ガイド部材（７）が前記閉扉アーム（２０）と係合した後には前記閉扉アーム（２０）を前記扉（３）を閉じる向きに強制的に回動させるべく、前記閉扉アーム（２０）に弾性力を作用させる付勢機構（５０）と、
前記閉扉アーム（２０）が前記扉（３）を閉じる向きに回動している時にはその回動を抑制するべく、それとは逆向きに前記閉扉アーム（２０）が回動している時にはその回動を促進するべく、前記閉扉アーム（２０）に力を作用させる直動式の緩衝機構（６０）と、を有し、
前記固定要素（４０）は、
前記扉枠（２）に固定された偏平な直方体形状の筐体（７０）を有し、
前記筐体（７０）内に前記閉扉アーム（２０）と前記付勢機構（５０）と前記緩衝機構（６０）が共に収容され、
前記筐体（７０）の前記扉（３）と対面する部分に、前記閉扉アーム（２０）が出入りする開口部（７５）が形成され、
前記筐体（７０）の底部に、前記扉（３）を閉止したときに前記被ガイド部材（７）を受け入れる切欠部（７６）が形成されているものである。
【００１７】
上記のように構成したことにより、被ガイド部材が閉扉アームと係合していない時、すなわち、扉が閉扉アームと被ガイド部材とが係合し得る開度よりも大きく開いている時、閉扉アームは付勢機構の弾性力によって待機姿勢に保持されている。扉を閉扉する際、扉と共に被ガイド部材が装置本体に接近し、扉の開度が所定の開度になった時点で、被ガイド部材が閉扉アームと係合する。その後更に扉を閉めて行くと、閉扉アームが待機姿勢から扉を閉じる向きに回動し始める。それと同時に、付勢機構の弾性力が、閉扉アームを扉を閉じる向きに強制的に回動させる力として働き始める。この閉扉アームの強制的な回動に伴って、扉が強制的に閉じられていく。この時、閉扉アームの回動を抑制するように緩衝機構の抗力が効き始めることにより、扉の急峻な動きが防止される。これにより、扉が強制的に且つ静かに閉められる。一方、扉が完全に閉まっている状態から扉を開ける場合、扉の開扉動作に伴って閉扉アームが待機姿勢となる向きに回動し始める。それと同時に、緩衝機構の反発力が、閉扉アームを扉を開く向きに回動させる力として働き始め、扉を開く向きへの閉扉アームの回動が促進される。その結果、扉を手動で開く際に、扉の取手に大きな力を加えずに済むようになる。
【００１８】
また、扉枠に固定される偏平な直方体形状の筐体内に前記閉扉アームと前記付勢機構と前記緩衝機構を共に収容し、当該筐体の扉と対面する部分に、閉扉アームが出入りする開口部を設けたことにより、扉枠に固定される固定要素を小型化し、外観的には可動部を閉扉アームのみとした単純な外観形態の閉扉装置を備えた扉装置を実現できる。
【００１９】
本発明の扉装置において、前記固定要素（４０）が、前記扉枠（２）の上枠部材（２Ａ）の前記蝶番（５）が取り付けられている側とは反対側の端部に固定して取り付けられていることが望ましい。固定要素が、扉枠の上枠部材の蝶番が取り付けられている側とは反対側の端部に取り付けられていることにより、扉を開く際、緩衝機構の反発力（復元力）を、扉の開きを促進するための力として最大限有効に働かせることができる。したがって、緩衝機構の反発力（復元力）が微弱であっても、扉を開く際における扉の開きを助ける効果が得られる。
【００２０】
本発明の扉装置（１）において、
前記閉扉アーム（２０）は、
前記付勢機構（５０）による弾性力と前記緩衝機構（６０）による緩衝力が互いに逆向きに作用するカム部（１４）を一体的に有し、
前記付勢機構（５０）は、前記カム部（１４）の第１カム面（１４Ａ）に弾性力を作用させるスプリング（５２）を有し、
前記緩衝機構（６０）は、前記閉扉アーム（２０）が前記扉（３）を閉じる向きに回動している時に、前記カム部（１４）の第２カム面（１４Ｂ）の回動に伴って水平方向に圧縮され反発することにより制動力を発生する直動式のダンパ（６２）を有し、
前記付勢機構（５０）と前記緩衝機構（６０）とが前記カム部を挟んで互いに直列に並べて設けられている、ことが望ましい。
【００２１】
上記の構成によれば、付勢機構による弾性力と緩衝機構による緩衝力を閉扉アームに作用させるためのカム部を、閉扉アームと一体化したことにより、部品点数を削減できる。筐体内に収容される部品の点数が少なくなることにより、筐体を小型化できる。また、付勢機構と緩衝機構とを、カム部を挟んで互いに直列に並べて設けたことにより、筐体の短寸方向及び高さ方向の幅寸法を小さくできるので、取り付けスペースが狭く限られた扉枠に装置本体を取り付ける上で極めて有利ある。
【００２２】
また、前記扉枠（２）の上枠部材（２Ａ）には、前記扉（３）を閉めた時に前記扉（３）の上縁部が当たる戸当り（４Ｂ）が設けられており、
前記筐体（７０）は、前記上枠部材（２）の前記戸当り（４Ｂ）の一部を欠くことにより形成されたスペース（Ｓ）に取り付けられていることが望ましい。
【００２３】
この構成によれば、戸当りの設置スペースを利用して、上枠部材の下面部に筐体を取り付けることができる。また、上枠部材の戸当りが嵌め付けられる溝に筐体の上面部が丁度嵌るように筐体の構造を設計しておくことにより、上枠部材に対する筐体の取り付け精度を向上できる。
【００２４】
また、前記閉扉アーム（２０）は、前記扉（３）が閉止されている時には、その全体が前記筐体（７０）の中にあり、前記待機姿勢の時には、その先端側が前記筐体（７０）の開口部から前記扉（３）側に出ていることが望ましい。この構成によれば、扉が閉じられる際、筐体の開口部からその先端側が扉側に出ている状態で待機している閉扉アームに、被ガイド部材が扉の回動に伴って係合する。その後更に扉を閉めて行くと、閉扉アームが扉を閉じる向きに回動し、扉が閉まった時には閉扉アームが筐体の中に完全に格納された状態になる。
【００２５】
また、前記被ガイド部材（７）は、前記扉（３）の板面に固定して取り付けられた支持部（３０）と当該支持部（３０）の先端部から上方に突き出ている摺動子（３１）とを有し、
前記閉扉アーム（２０）は、その回動半径方向に延びるガイド溝（２２）を有し、
前記閉扉アーム（２０）が前記待機姿勢の時に、前記扉（３）の閉じられる向きへの回動に伴って前記摺動子（３１）の先端部が前記ガイド溝（２２）内に受け入れられるように構成されていることが望ましい。
【００２６】
また、本発明の扉装置において、前記装置本体（１）は、前記付勢機構（５０）の弾性力を調整するための調整手段（１７）を有していることが望ましい。これにより、扉の閉扉時の回動速度や開扉時の付勢機構による抗力を調節することができる。
【発明の効果】
【００２７】
本発明によれば、閉扉する際には、付勢機構の弾性力により扉を強制的に閉じていきつつ、閉め際における扉の急峻な回動を緩衝機構の抗力により抑制して扉を静かに閉めることができ、開扉する際には、緩衝機構の反発力で扉の動きを促進して扉を弱い力で開けることができる。閉め際における扉の急峻な動きを抑制し且つ開扉する際に扉の動きを促進するための緩衝機構として直動式のものを使用したことにより、装置本体を従来の閉扉装置のものよりも小型化できる。これにより、装置本体の扉枠への取り付けが可能となる。
【図面の簡単な説明】
【００２８】
【図１】本発明の閉扉装置を備えた扉装置の形態例を示す部分斜視図
【図２】扉装置を別の向きから視た部分斜視図
【図３】閉扉装置の装置本体が取り付けられている部分を示す部分断面図
【図４】閉扉装置の装置本体の分解斜視図
【図５】扉装置の部分正面図
【図６】図５のＡ−Ａ断面図
【図７】（Ａ）は閉扉装置の閉扉アームが待機姿勢にあるときの装置本体内の状態を示す平面図  （Ｂ）は閉扉装置の閉扉アームが収納姿勢にあるときの装置本体内の状態を示す平面図
【図８】（Ａ）は閉扉装置による閉扉動作が開始される直前における扉装置を下方から視た断面図  （Ｂ）は閉扉装置による閉扉動作が終了した後における扉装置を下方から視た断面図
【図９】（Ａ）、（Ｂ）及び（Ｃ）は閉扉アームを待機姿勢に復帰させる際に行われる動作の説明図
【図１０】従来の閉扉装置が取り付けられた扉装置を例示する部分斜視図
【発明を実施するための形態】
【００２９】
以下、本発明を実施するための最良の形態につき図１乃至図９を参照して説明する。
【００３０】
図１は本発明の閉扉装置を備えた扉装置の実施形態の一例を示す部分斜視図である。図２は図１の扉装置を別の向きから視た部分斜視図である。
【００３１】
扉装置１０は、家屋の出入口等、建物の開口部に嵌め付けて設けられた扉枠２と、扉枠２に水平方向に回動自在に設けられた扉３とを有する。扉枠２は、建物の開口部の上縁部に設けられた上枠部材２Ａと、当該開口部の左右両側縁部に設けられた縦枠部材２Ｌ、２Ｒとを有している。扉３は、二つの縦枠部材２Ｌ、２Ｒのうちの一方（図示右側）の縦枠部材２Ｒに蝶番５を介して回転可能に連結されている。扉枠２の他方（図示右側）の縦枠部材２Ｌ及び上枠部材２Ａには、扉３を閉めた時に扉３の縁部が当たる戸当り４Ａ、４Ｂが設けられている。
【００３２】
閉扉装置１は、上枠部材２Ａに取り付けられた装置本体６と、扉３に取り付けられた被ガイド部材７とを有している。装置本体６は、上枠部材２Ａの蝶番５が取り付けられている縦枠部材２Ｒとは反対側の縦枠部材２Ｌの近傍に取り付けられている。
【００３３】
被ガイド部材７は、装置本体６の設置位置に対応させて、扉３の裏面の上端近傍の蝶番５が設けられていない方（戸先側）の端部近傍に取り付けられている。被ガイド部材７は、扉３の板面に固定して取り付けられた支持部３０と、支持部３０の先端部から上方に突き出ている棒状の摺動子３１とを有している。摺動子３１は、支持部３０に内蔵されたコイルスプリング（図示省略）によって下方から弾力的に支えられている。
【００３４】
装置本体６は、扉枠２の開口部の上縁部に固定された固定要素４０と、固定要素４０に水平方向に回動可能に支持され且つ扉３の回動に伴って被ガイド部材７と係合したり離脱したりするように構成された閉扉アーム２０と、被ガイド部材７が閉扉アーム２０と係合していない時には閉扉アーム２０を被ガイド部材７との係合を待つ待機姿勢（図７（Ａ））に保持するべく、被ガイド部材７が閉扉アーム２０と係合した後には閉扉アーム２０を扉３を閉じる向きに強制的に回動させるべく、閉扉アーム２０に弾性力を作用させる付勢機構５０と、閉扉アーム２０が扉３を閉じる向きに回動している時にはその回動を抑制するべく、それとは逆向きに閉扉アーム２０が回動している時にはその回動を促進するべく、閉扉アーム２０に力を作用させる直動式の緩衝機構６０と、を有している。
【００３５】
固定要素４０は、扉枠２に固定される偏平な直方体形状の筐体７０を有する。そして、筐体７０内に、閉扉アーム２０と付勢機構５０と緩衝機構６０が共に収容されている。
【００３６】
筐体７０は、上枠部材２の戸当り４Ｂの一部を欠くことにより形成されたスペースＳに取り付けられている。筐体７０の上面部には、上枠部材２の戸当り４Ｂが嵌め付けられる溝２ａに丁度嵌る形状・寸法の突起部７１ｅが形成されている（図４、図６参照）。
【００３７】
筐体７０の扉３と対面する部分には、閉扉アーム２０が出入りする開口部７５が形成されている。筐体７０の底部には、扉３を閉止したときに被ガイド部材７の摺動子３１を受け入れる切欠部７６が形成されている。
【００３８】
閉扉アーム２０は、その回動中心から半径方向に延在して筐体７０の開口部７５から出没するアーム本体部２１を有する。アーム本体部２１の下面側には、その長手方向すなわち回動半径方向に延びるガイド溝２２が形成されている。ガイド溝２２は、アーム本体部２１の先端部から長手方向中央部まで延びている。そして、閉扉アーム２０が待機姿勢（図７（Ａ））の時に、扉３の閉じられる向きへの回動に伴って摺動子３１の先端部がガイド溝２１内に閉扉アーム２０の先端から受け入れられるように構成されている。
【００３９】
また、アーム本体部２１の扉３に面する側部には、閉扉アーム２０が筐体７０内に完全に収容されている状態（図７（Ｂ）の状態）においても、扉３を閉めることによって摺動子３１をガイド溝２１内に案内できるようにするためのガイド面２０ａが形成されている。ガイド面２０ａは、円弧状に湾曲した滑らかな凹曲面である（図４参照）。
【００４０】
閉扉アーム２０は、付勢機構５０による弾性力と緩衝機構６０による緩衝力とが作用するカム部１４を有している。付勢機構５０と緩衝機構６０はカム部１４を挟んで互いに直列に並べて設けられており、付勢機構５０による弾性力と緩衝機構６０による緩衝力がカム部１４の両側から互いに逆向きに作用する構造になっている。カム部１４は、アーム本体部２１の基部に一体化して設けられている。
【００４１】
付勢機構５０は、筐体７０の長手方向に直線的に進退移動する第１スライダ５１と、カム部１４の第１カム面１４Ａに第１スライダ５１を介して弾性反発力を作用させるスプリング５２とを有する。
【００４２】
緩衝機構６０は、筐体７０の長手方向に直線的に進退移動する第２スライダ６１と、カム部１４の第２カム面１４Ｂに第２スライダ６１を介して制動力を作用させる直動式のダンパ６２とを有する。ダンパ６２は、並列に配置した２つのダンパユニット６２Ｕ、６２Ｕからなる。各ダンパユニット６２Ｕは、出力軸６２ａと、出力軸６２ａを軸方向に進退自在に保持しているユニット本体６２ｂとを有する。ユニット本体６２ｂ内には、出力軸６２ａを伸張方向に付勢しているスプリング（図示省略）と、出力軸６２ａの縮長方向への移動に制動力を作用させるオイルなどの抵抗流体（図示省略）が収容されている。緩衝機構６０は、閉扉アーム２０が扉３を閉じる向きに回動している時に、カム部１４の第２カム面１４Ｂの回動に伴って水平方向に圧縮され反発することにより制動力を発生する。
【００４３】
閉扉アーム２０は、扉３が閉止されている時（図８（Ｂ）参照）には、その全体が筐体７０の中にあり（図７（Ｂ）参照）、待機姿勢の時には、その先端側が筐体７０の開口部７５から扉３側に出ている。
【００４４】
つぎに、装置本体６の構成及び動作について図４及び図７を参照してより詳細に説明する。
【００４５】
上述したように装置本体６は、扉枠の上枠部材２Ａに固定された固定要素４０を有している。固定要素４０は、扉枠の上枠部材２Ａに固定された偏平な直方体形状の筐体７０と、筐体７０に被せて取り付けられる筐体カバー８０とを有する。
【００４６】
筐体７０は、その上部を成す上側筐体部材７１と下部を成す下側筐体部材７２とを有する。筐体カバー８０は、下側筐体部材７２の外側に被せて設けられる。筐体カバー８０には、筐体７０の開口部７５と重なる位置に、アーム本体部２１が出入りする開口部７８が形成されている。筐体カバー８０の底部には、扉３を閉止したときに被ガイド部材７の摺動子３１を受け入れる切欠部７７が形成されている。
【００４７】
上側筐体部材７１の上板部７１ａと下側筐体部材７２の下板部７２ａには、第１スライダ５１を案内するための第１ガイドスリット７１ｂ、７２ｂと、第２スライダ６１を案内するための第２ガイドスリット７１ｃ、７２ｃと、閉扉アーム２０を回動可能に支持するための支軸２５が挿通される軸孔７１ｄ、７２ｄと、上下の筐体部材７１、７２同士を固定するための留めピン７３が挿通される留め孔７１ｇ、７２ｇとが、それぞれ上下に連通する位置に形成されている。
【００４８】
上側筐体部材７１の左右両端には、上板部７１ａの両端部を下方に屈曲させて形成された端板部７１Ｌ、７１Ｒと、上板部７１ａの側縁部を上方にＬ字形状に屈曲させて形成された突起部７１ｅ、７１ｅが設けられている。突起部７１ｅ、７１ｅは、左右方向（上枠部材２Ａの長手方向）二カ所に設けられている。突起部７１ｅ、７１ｅは、上枠部材２の戸当り４Ｂが嵌め付けられる溝２ａ（図６参照）に丁度嵌る形状・寸法に設計されている。突起部７１ｅ、７１ｅには、上側筐体部材７１を上枠部材２に適宜位置決めして螺子７４で締着固定するための長孔７１ｆ、７１ｆが形成されている。
【００４９】
第１スライダ５１の上下両面には、第１ガイドスリット７１ｂ、７２ｂに摺動自在に嵌合するガイド突起５１ａ、５１ｂが形成されている。第１スライダ５１の基端部には、スプリング５２の先端部が挿入される保持孔５１ｃが形成されている。スプリング５２は、その先端部を保持孔５１ｃに挿入した状態で、第１スライダ５１と上側筐体部材７１の一方（この例では左側）の端板部７１Ｌとの間に圧縮された状態で設けられている。第１スライダ５１の先端部には、第１スライダ５１のスライド方向と直交する先端面５１ｄと、この先端面５１ｄに対して約４５度傾斜した傾斜面５１ｅとが形成されている。傾斜面５１ｅは先端面５１ｄから滑らかに連続して開口部７５側に形成されている。
【００５０】
第２スライダ６１の上下両面には、第２ガイドスリット７１ｃ、７２ｃに摺動自在に嵌合するガイド突起６１ａ、６１ｂが形成されている。第２スライダ６１の基端部には、ダンパ６２の出力軸６２ａの先端部が挿入される保持孔（図示省略）が形成されている。ダンパ６２は、その出力軸６２ａの先端部を保持孔に挿入した状態で、第２スライダ６１と上側筐体部材７１の一方（この例では右側）の端板部７１Ｒとの間に圧縮された状態で設けられている。第２スライダ６１の先端部には、第２スライダ６１のスライド方向に対して約３０度傾斜した傾斜面６１ｅが形成されている。第２スライダ６１の傾斜面６１ｅは、第１スライダ５１の傾斜面５１ｅに対して逆向き（手前に向かって互いに開く向き）に傾斜している。
【００５１】
閉扉アーム２０は基部に軸孔２３を有しており、その軸孔２３に嵌め付けて固定された回転軸受け２４を介して支軸２５に回転自在に連結されている。支軸２５は、上下の筐体部材７１、７２間に閉扉アーム２０を配置した後、下側筐体部材７２側から軸孔７２ｄ、７１ｄに挿通して設けられる。
【００５２】
閉扉アーム２０のカム部１４は、第１スライダ５１と第２スライダ６１との間に挟まれており、第１カム面１４Ａには第１スライダ５１が、第２カム面１４Ｂには第２スライダ６１が常に圧接している。
【００５３】
カム部１４は、互いに上下に離間した板部１４Ｕ、１４Ｌを有する。両板部１４Ｕ、１４Ｌには、上下に貫通した軸孔１４ｂ、１４ｂが形成されており、軸孔１４ｂ、１４ｂに挿通された支軸２６にコロ（小回転子）２９が回転自在に軸支されている。そして、コロ２９の外周面が第１カム面１４Ａを成している。第２カム面１４Ｂは、カム部１４のコロ２９が設けられている部分から第２カム面１４Ｂ側に円弧状に膨出しつつ閉扉アーム２０の回動中心に向かって延びている部分からなる。
【００５４】
また、閉扉アーム２０の基部には、閉扉アーム２０の開扉側への最大回動範囲を規定する突起部２７が形成されている。この突起部２７が第２スライダ６１の側面に当接することにより、開扉側への閉扉アーム２０の回動が制限される。そして、閉扉アーム２０が開扉側に最大限回動したとき、第１カム面１４Ａが第１スライダ５１の傾斜面５１ｅに係止された状態になって、その回動姿勢が保持される。図７（Ａ）はこの時の状態（待機状態）を示している。
【００５５】
図７（Ａ）の状態から、閉扉アーム２０を閉扉側に回動させていくと、第１カム面１４Ａが第１スライダ５１の傾斜面５１ｅから先端面５１ｄに移動する。傾斜面５１ｅから先端面５１ｄに移動するとき付勢機構５０は一旦圧縮されるが、その後はスプリング５２の弾発力により伸張する。この弾発力によって第１カム面１４Ａが押圧され、閉扉アーム２０が閉扉側に強制回動される。このときの第２カム面１４Ｂの回動に伴って第２スライダ６１が押圧され、緩衝機構６０のダンパ６２が圧縮されるため、抗力が閉扉アーム２０に作用する。これらの一連の動作により、扉３の閉まり際すなわち被ガイド部材７が閉扉アーム２０に係合した後における扉３の急峻な回動が防止され、扉３が強制的に且つ静かに閉められる。
【００５６】
図７（Ｂ）の状態から、閉扉アーム２０を開扉側に回動させていく場合、第１カム面１４Ａによって第１スライダ５１の先端面５１ｄが押されるため、付勢機構５０のスプリング５２の弾発力が閉扉アーム２０の開扉側への回動を制する力として働く。その一方で、緩衝機構６０のダンパ６２が圧縮状態から伸張状態に復元しようとするため、ダンパ６２による押圧力がスプリング５２の弾発力とは逆向きに第２カム面１４Ｂに作用する。その結果、スプリング５２による力がダンパ６２の力によって大部分相殺される。閉扉アーム２０が開扉側に更に回動すると、第１カム面１４Ａが第１スライダ５１の先端面５１ｄから傾斜面５１ｅに移動する。この時点で、第１カム面１４Ａが第１スライダ５１の傾斜面５１ｅに係止され、閉扉アーム２０が開扉側に最大限回動した姿勢に保持される。これらの一連の動作により、扉３が完全に閉まっている状態から扉３を開扉する際、扉３の取手に大きな力を加えずに済む。
【００５７】
次に、上記のように構成された閉扉装置１の動作について説明する。
【００５８】
被ガイド部材７が閉扉アーム２０と係合していない時、すなわち、扉３が閉扉アーム２０と被ガイド部材７とが係合し得る開度よりも大きく開いている時、閉扉アーム２０は付勢機構５０の弾性力によって待機姿勢に保持されている。扉３を閉扉する際、図８（Ａ）に示すように、扉３と共に被ガイド部材７が装置本体６に接近し、扉３の開度が所定の開度になった時点で、被ガイド部材７が閉扉アーム２０と係合する。その後更に扉３を閉めて行くと、閉扉アーム２０が待機姿勢から扉３を閉じる向きに回動し始める。それと同時に、付勢機構５０の弾性力が、閉扉アーム２０を扉３を閉じる向きに強制的に回動させる力として働き始める。この閉扉アーム２０の強制的な回動に伴って、扉３が強制的に閉じられていく。この時、閉扉アーム２０の回動を抑制するように緩衝機構６０の抗力が効き始めることにより、扉３の急峻な動きが防止される。これにより、扉３が強制的に且つ静かに閉められる。
【００５９】
一方、図８（Ｂ）に示すように、扉３が完全に閉まっている状態から扉３を開ける場合、扉３の開扉動作に伴って閉扉アーム２０が待機姿勢となる向きに回動し始める。それと同時に、緩衝機構６０の反発力が、閉扉アーム２０を扉３を開く向きに回動させる力として働き始め、扉３を開く向きへの閉扉アームの回動が促進される。その結果、扉３を手動で開く際に、扉３の取手に大きな力を加えずに済むようになる。緩衝機構６０として直動式のものを使用しているため、閉扉する際には扉３を静かに閉じることができ且つ開扉する際には扉３を弱い力で開けることができる閉扉装置１を装置本体６を大型化することなく実現できる。
【００６０】
また、扉３が閉扉状態になっていないにも拘わらず、何らかの原因で閉扉アーム２０が筐体７０内に収容された状態（図７（Ｂ）の状態）になっている場合でも、扉３を一旦閉じてから開くことにより、閉扉アーム２０を待機状態（図７（Ａ）の状態）に復帰させることができる。図９はこのときの動作を示している。図９（Ａ）の状態から扉３を閉じていくと、摺動子３１の先端３１ａがガイド面２０ａに沿って下方に案内され、それに伴って摺動子３１が押し下げられていく。そして、図９（Ｂ）に示すように摺動子３１の先端３１ａがガイド面２０ａを通過してアーム本体部２１の下端に達した状態を経て、図９（Ｃ）に示すように摺動子３１がガイド溝２２に係合した状態になる。この状態になってから扉３を開くことにより、閉扉アーム２０を待機状態に復帰させることができる。
【００６１】
この実施形態の構成によれば、扉枠２の上枠部材２Ａに固定される偏平な直方体形状の筐体７０内に閉扉アーム２０と付勢機構５０と緩衝機構６０を共に収容し、筐体７０の扉３と対面する部分に、閉扉アーム２０が出入りする開口部７５を設けたことにより、扉枠２に固定される固定要素４０を小型化し、外観的には可動部を閉扉アーム２０のみとした単純な外観形態の閉扉装置１を実現できる。
【００６２】
また、装置本体６が、扉枠２を構成する上枠部材２Ａの蝶番５が取り付けられている側（吊元側）とは反対側（戸先側）の端部に取り付けられていることにより、扉３を開く際、緩衝機構６０の反発力（復元力）を、扉３の開きを促進するための力として最大限有効に働かせることができる。したがって、緩衝機構６０の反発力（復元力）が微弱であっても、扉３を開く際における扉３の開きを助ける効果が得られる。
【００６３】
また、付勢機構５０による弾性力と緩衝機構６０による緩衝力を閉扉アーム２０に作用させるためのカム部１４を、閉扉アーム２０と一体化したことにより、部品点数を削減できる。筐体７０内に収容される部品の点数が少なくなることにより、筐体７０を小型化できる。また、付勢機構５０と、緩衝機構６０とを、カム部１４を挟んで互いに直列に並べて設けたことにより、筐体７０の短寸方向の幅寸法及び高さ寸法を小さくできるので、取り付けスペースが狭く限られた扉枠２に装置本体６を取り付ける上で極めて有利ある。筐体７０の短寸方向の幅寸法及び高さ寸法を小さくできた結果、上枠部材２に設けられる戸当り４Ｂの設置スペースＳを利用して、上枠部材２の下面部に筐体７０を取り付けることができる。上枠部材２の戸当り４Ｂが嵌め付けられる溝２ａに筐体７０の上面部に設けられた突起部７１ｅが丁度嵌るように構成したので、上枠部材２に対する筐体７０の取り付け精度を高めることができる。
【００６４】
なお、上記実施形態では、本発明の閉扉装置を左開きタイプの扉に適用した例を示したが、右開きタイプの扉にも有効に適用できることはいうまでもない。
【００６５】
また、上記実施形態では、ダンパユニット６２Ｕを２つ備えたダンパ６２を使用しているが、１つのダンパユニット６２Ｕでダンパ６２を構成してもよく、ダンパユニット６２Ｕを３つ以上備えたダンパ６２を使用してもよい。
【００６６】
また、上記実施形態では、付勢機構５０の弾性反発力発生源としてコイルスプリングを使用しているが、コイルスプリングに限らず、板バネやガススプリング等その他の弾性反発手段を用いてもよい。
【００６７】
また、上記実施形態の閉扉装置１は、筐体カバー８０を備えているが、筐体カバー８０は必須の構成要素ではない。
【符号の説明】
【００６８】
１  閉扉装置
２  扉枠
３  扉
５  蝶番
６  装置本体
７  被ガイド部材
１４  カム部
１４Ａ  第１カム面
１４Ｂ  第２カム面
２２  ガイド溝
２０  閉扉アーム
３１  摺動子
４０  固定要素
５０  付勢機構
５２  スプリング
６０  緩衝機構
６２  ダンパ
７０  筐体
７５  開口部
７６  切欠部
７７  切欠部
７８  開口部
Ｓ  スペース
【図１】
0005448730.tif 000002
【図２】
0005448730.tif 000003
【図３】
0005448730.tif 000004
【図４】
0005448730.tif 000005
【図５】
0005448730.tif 000006
【図６】
0005448730.tif 000007
【図７】
0005448730.tif 000008
【図８】
0005448730.tif 000009
【図９】
0005448730.tif 000010
【図１０】
0005448730.tif 000011